(57)【要約】【課題】患者を床ずれから保護する。【解決手段】エアマットレス又はウレタンマットレスからなる主マットレス２の上に患者が仰臥位で寝かされ、介護者が体位変換する場合に操作部２６の左又は右体位変換スイッチを操作すると、制御ボックス２７がエアーポンプ１５を駆動すると共にバルブ２２乃至２４又はバルブ２２；２３；２５を開動作し、左膝用エアセル８と右膝用エアセル９と左肩用エアセル１０とが又は左膝用エアセル８と右膝用エアセル９と右肩用エアセル１１とがエアーポンプ１５から給気された圧縮空気で膨張されて患者の膝及び左肩又は膝及び右肩を持ち上げていることから、患者の体が回転しやすくなり、主マットレス２より患者の腰を浮かさずに、患者の背部と膝部とを持ち上げるように体位変換することができ、患者の床ずれの発生しやすい仙骨部を保護することができる。【選択図】図１
2014046042.tif 000002
【特許請求の範囲】
【請求項１】
主マットレスと、主マットレスの下に敷かれる体位変換エアセルと、主マットレス及び体位変換エアセルに対する給気排気機構とを備えた体位変換用マットレスにおいて、体位変換エアセルが膝用エアセルと左肩用エアセルと右肩用エアセルとを備え、給気排気機構が膝用エアセルと左肩用エアセルと右肩用エアセルとに互いに独立して給気排気可能に構成され、膝用エアセルと左肩用エアセルとが及び膝用エアセルと右肩用エアセルとがそれぞれの間に患者の尻及び腰を取り込み得るように離れたことを特徴とする体位変換用マットレス。
【請求項２】
左肩用エアセルの一部と右肩用エアセルの一部とが上下に重なり合うように左肩用エアセルと右肩用エアセルとが互いに連結されたことを特徴とする請求項１記載の体位変換用マットレス。
【請求項３】
給気排気機構が第１給気制御手段又は第１排気制御手段を備え、第１給気制御手段が膝用エアセルを膨らませた後に左肩用エアセル又は右肩用エアセルの一方を膨らませ、第１排気制御手段が左肩用エアセル又は右肩用エアセルの一方の空気を抜いた後に膝用エアセルの空気を抜くことを特徴とする請求項１記載の体位変換用マットレス。
【請求項４】
膝用エアセルが左右に分かれており、給気排気機構が第２給気制御手段又は第２排気制御手段を備え、第２給気制御手段が左膝用エアセルを膨らませた後に右肩用エアセルを膨らませるか又は右膝用エアセルを膨らませた後に左肩用エアセルを膨らませ、第２排気制御手段が右肩用エアセルの空気を抜いた後に左膝用エアセルの空気を抜くか又は左肩用エアセルの空気を抜いた後に右膝用エアセルの空気を抜くことを特徴とする請求項１記載の体位変換用マットレス。
【請求項５】
給気排気機構が第３給気制御手段又は第３排気制御手段を備え、第３給気制御手段が膝用エアセルを膨らませた後に左肩用エアセル及び右肩用エアセルを膨らませ、第３排気制御手段が左肩用エアセル及び右肩用エアセルの空気を抜いた後に膝用エアセルの空気を抜くことを特徴とする請求項1記載の体位変換用マットレス。
【発明の詳細な説明】
【技術分野】
【０００１】
本発明は、自力で体位を変えることのできない患者に対する体位変換機能を有する体位変換用マットレスに関する。
【背景技術】
【０００２】
図２５乃至図２８は特許文献１で開示された体位変換機能を有する体位変換用マットレス１２１を示す。図２５において、体位変換用マットレス１２１は、主マットレス１２２と、主マットレス１２２の下に敷かれる体位変換エアセル１２３と、主マットレス１２２及び体位変換エアセル１２３に対する給気排気機構１２４とを備える。主マットレス１２２の短手方向に横長であると共に長手方向に並列に配置された複数個のエアセル１２５は、給気排気機構１２４のエアーポンプ１２６からエアーチューブ１２７を経由して給気又は排気されて膨張又は収縮する。体位変換エアセル１２３は、主マットレス１２２とウレタンマットレス等の静止型マット１４１との間に配置される。体位変換エアセル１２３の左エアセル１３１又は右エアセル１３２は、体位変換時、通路切換機構１２８の通路切換動作によりエアーポンプ１２６からエアーチューブ１２９；１３０を経由して給気又は排気されて膨張又は収縮する。左エアセル１３１では、左背用エアセル１３３と左尻用エアセル１３４とが互いにエアーチューブ１３５で給気又は排気可能に連結されている。右エアセル１３２では、右背用エアセル１３６と右尻用エアセル１３７とが互いにエアーチューブ１３８で給気又は排気可能に連結されている。又、左背用エアセル１３３と右背用エアセル１３６とは互いに紐１３９で繋がっている。左尻用エアセル１３４と右尻用エアセル１３７とは互いに紐１４０で繋がっている。図２６に示すように、左背用エアセル１３３と右背用エアセル１３６とが仰臥位の患者６５の左肩と右肩とに対して別々に配置され、左尻用エアセル１３４と右尻用エアセル１３７とが仰臥位の患者６５の左尻と右尻とに対して別々に配置される。その状態において、図２７に示すように、例えば、患者６５の左側を右側よりも上方となるように傾けるように体位変換する場合には、左エアセル１３１だけが給気により膨張される。図２５乃至図２７に示すように、体位変換エアセル１２３が患者６５の肩及び尻に対応して配置される構造であるので、患者６５の体位を変換する場合に、患者６５の床ずれの起きやすい仙骨部が主マットレス１２２の左エアセル１３１又は右エアセル１３２で上に押し上げられて膨らんだ部分で圧迫を受けるという欠点があるうえ、図２８に示すように、側臥位体位変換する場合、患者６５の片側を膨張した左尻用エアセル１３４と右尻用エアセル１３７又は左背用エアセル１３３と右背用エアセル１３６とで持ち上げるので、患者６５の背中、腰、尻、膝が浮き上がり、患者６５に不安を与えるという欠点もある。
【先行技術文献】
【特許文献】
【０００３】
【特許文献１】特開平８−５２１８０号公報
【発明の概要】
【発明が解決しようとする課題】
【０００４】
本発明は、上記背景技術に鑑みてなされたものであり、患者の床ずれを防止することを目的とする。
【課題を解決するための手段】
【０００５】
本発明は、主マットレスと、主マットレスの下に敷かれる体位変換エアセルと、主マットレス及び体位変換エアセルに対する給気排気機構とを備えた体位変換用マットレスにおいて、体位変換エアセルが膝用エアセルと左肩用エアセルと右肩用エアセルとを備え、給気排気機構が膝用エアセルと左肩用エアセルと右肩用エアセルとに互いに独立して給気排気可能に構成され、膝用エアセルと左肩用エアセルとが及び膝用エアセルと右肩用エアセルとがそれぞれの間に患者の尻及び腰を取り込み得るように離れたことを特徴とする。
【発明の効果】
【０００６】
本発明は、膝用エアセルと左肩用エアセルとが及び膝用エアセルと右肩用エアセルとがそれぞれの間に患者の尻及び腰を取り込み得るように離れたことにより、体位変換時に、主マットレスより患者の腰を浮かさずに、患者の背中と膝とを持ち上げることにより、患者の床ずれの発生しやすい仙骨部を保護することができるという効果がある。本発明にあっては、左肩用エアセルの一部と右肩用エアセルの一部とが上下に重なり合うように左肩用エアセルと右肩用エアセルとが互いに連結されれば、左肩用エアセルと右肩用エアセルとによる段差が解消され、主エアセルが患者の背中に安定して接触して体変換時に違和感がないという効果がある。又、本発明にあっては、給気排気機構が第１給気制御手段又は第１排気制御手段を備え、第１給気制御手段が膝用エアセルを膨らませた後に左肩用エアセル又は右肩用エアセルの一方を膨らませ、第１排気制御手段が左肩用エアセル又は右肩用エアセルの一方の空気を抜いた後に膝用エアセルの空気を抜けば、患者の体が回転しやすくなり、患者の腰や床ずれの発生しやすい仙骨部に負担がかからず、体位変換できるという効果がある。又、本発明にあっては、膝用エアセルが左右に分かれており、給気排気機構が第２給気制御手段又は第２排気制御手段を備え、第２給気制御手段が左膝用エアセルを膨らませた後に右肩用エアセルを膨らませるか又は右膝用エアセルを膨らませた後に左肩用エアセルを膨らませ、第２排気制御手段が右肩用エアセルの空気を抜いた後に左膝用エアセルの空気を抜くか又は左肩用エアセルの空気を抜いた後に右膝用エアセルの空気を抜けば、患者に腰ひねりストレッチ効果を与えることができる。又、本発明にあっては、給気排気機構が第３給気制御手段又は第３排気制御手段を備え、第３給気制御手段が膝用エアセルを膨らませた後に左肩用エアセル及び右肩用エアセルを膨らませ、第３排気制御手段が左肩用エアセル及び右肩用エアセルの空気を抜いた後に膝用エアセルの空気を抜けば、ベッド上で、腰椎やその周囲組織に最も負担の少なりセミファウラー位を取ることができる効果がある。又、本発明にあっては、主エアセルと膝用エアセルと左肩用エアセルと右肩用エアセルとがカバーで被覆されると共にカバーに固定されれば又は膝用エアセルと左肩用エアセルと右肩用エアセルとがカバーで被覆されると共にカバーに固定されれば、主エアセルと膝用エアセルと左肩用エアセルと右肩用エアセルとの設置又は膝用エアセルと左肩用エアセルと右肩用エアセルとの設置が容易であるという効果がある。
【図面の簡単な説明】
【０００７】
【図１】実施の形態１に係る体位変換用マットレスを分解して示す斜視図。
【図２】実施の形態１に係る体位変換エアセルと側臥位の患者との関係を示す模式図。
【図３】実施の形態１に係る体位変換エアセルを示す斜視図。
【図４】Ａ図は実施の形態１に係る左肩用エアセルを示す平面図、Ｂ図はＡ図の１０６−１０６線断面図に相当する模式図。
【図５】Ａ図は実施の形態１に係る右肩用エアセルを示す平面図、Ｂ図はＡ図の１０７−１０７線断面図に相当する模式図。
【図６】実施の形態１に係る体位変換エアセルの仰臥位の患者への配置関係を示す平面図。
【図７】実施の形態２に係る体位変換用マットレスの背上げ状態を示す側面図。
【図８】実施の形態２に係る体位変換用マットレスの背下げ状態を示す側面図。
【図９】実施の形態２に係る主マットレスに対する給気排気機構を示す模式図。
【図１０】実施の形態２に係る主マットレスの工程を示す図表。
【図１１】実施の形態２に係る主マットレスへの患者の配置関係を示す側面図。
【図１２】実施の形態２に係る主マットレスの膨張及び収縮の状態を示す側面図。
【図１３】実施の形態２に係る主マットレスの膨張及び収縮の状態を示す側面図。
【図１４】実施の形態２に係る主マットレスの膨張及び収縮の状態を示す側面図。
【図１５】実施の形態３に係る主マットレスの工程を示す図表。
【図１６】実施の形態３に係る主マットレスへの患者の配置関係を示す側面図。
【図１７】実施の形態３に係る主マットレスの膨張及び収縮の状態を示す側面図。
【図１８】実施の形態３に係る主マットレスの膨張及び収縮の状態を示す側面図。
【図１９】実施の形態３に係る主マットレスの膨張及び収縮の状態を示す側面図。
【図２０】実施の形態４に係る主マットレスの工程を示す図表。
【図２１】実施の形態４に係る主マットレスへの患者の配置関係を示す側面図。
【図２２】実施の形態４に係る主マットレスの膨張及び収縮の状態を示す側面図。
【図２３】実施の形態４に係る主マットレスの膨張及び収縮の状態を示す側面図。
【図２４】実施の形態４に係る主マットレスの膨張及び収縮の状態を示す側面図。
【図２５】従来の体位変換用マットレスを分解して示す斜視図。
【図２６】従来の体位変換エアセルの仰臥位の患者への配置関係を示す平面図。
【図２７】従来の体位変換用マットレスの体位変換の状態を示す正面図。
【図２８】従来の体位変換エアセルと側臥位の患者との関係を示す模式図。
【発明を実施するための形態】
【０００８】
本明細書における「前」、「後」、「左」、「右」、「上」、「下」の方向は、仰臥位の患者から見て特定される方向である。図１を参照し、実施の形態１に係る体位変換用マットレス１について説明する。体位変換用マットレス１は、主マットレス２と体位変換エアセル３と給気排気機構４とを備える。主マットレス２は、中空で膨張可能な複数個のエアセル５が主マットレス２の短手方向に横長であると共に主マットレス２の長手方向に並列に配置された体圧分散性能の有る造形である。各エアセル５が主マットレス２の短手方向に長いかまぼこ形の造形を構成し、このかまぼこ形になった各エアセル５が主マットレス２の長手方向に並列に配置されて互いに通気可能に連結されて主マットレス２を構成する。よって、エアセル５における主マットレス２の長手方向に沿う断面が略四角形状になっているので、エアセル５における主マットレス２の長手方向に沿う断面が円形状又は楕円形状の場合よりも、患者を支えやすい。エアセル５における主マットレス２の長手方向に沿う断面とは、エアセル５を主マットレス２の長手方向に沿って切断した場合の断面である。主マットレス２としてウレタンマットレスを用いてもよい。体位変換エアセル３は、主マットレス２の下に敷かれるものであり、膝用エアセル６と肩用エアセル７とを備える。
【０００９】
膝用エアセル６は、仰臥位の患者の左膝を持ち上げたり下ろしたりすることの可能な中空で膨張可能な左膝用エアセル８と、仰臥位の患者の右膝を持ち上げたり下ろしたりすることの可能な中空で膨張可能な右膝用エアセル９とを備える。肩用エアセル７は、仰臥位の患者の左背を持ち上げたり下ろしたりすることの可能な中空で膨張可能な左肩用エアセル１０と、仰臥位の患者の右背を持ち上げたり下ろしたりすることの可能な中空で膨張可能な右肩用エアセル１１とを備える。左膝用エアセル８と右膝用エアセル９と左肩用エアセル１０と右肩用エアセル１１とは、互いに別々に膨張又は収縮する独立したエアセルになっている。
【００１０】
尚、膝用エアセル６は、左膝用エアセル８と右膝用エアセル９とに別々に膨張又は収縮するように仕切られた２つのエアセルを連接した一体に構成されているので、膝用エアセル６の取り扱いが容易である。左膝用エアセル８と右膝用エアセル９とが互いに別々に膨張又は収縮するように分離された２つのエアセルで構成されるか、又は、左膝用エアセル８と右膝用エアセル９とに仕切られていない１つのエアセルにより構成された造形でもよい。尚、主マットレス２と左膝用エアセル８と右膝用エアセル９と左肩用エアセル１０と右肩用エアセル１１とウレタンマットレス３５とを覆うカバー１２については、図３で説明する。図１に示すように、給気排気機構４が左膝用エアセル８と右膝用エアセル９と左肩用エアセル１０と右肩用エアセル１１とに互いに独立して給気排気可能に構成されている。
【００１１】
図２に示すように膝用エアセル６と肩用エアセル７とがそれぞれの間に患者６５の尻７０及び腰を取り込み得るように離れた造形に構成されたことにより、図１の体位変換用マットレス１は、体位変換時に、図１の主マットレス２より患者６５の腰を浮かさずに、患者の背中と膝１０３とを持ち上げることにより、患者６５の床ずれの発生しやすい仙骨部を保護することができるようになっている。患者６５の腰１０３が上がらないことで、患者が不安定な状態とならないうえ、患者６５が図１の体位変換用マットレス１から外にずれ落ちない。
【００１２】
図１に戻り、給気排気機構４は、エアーポンプ１５とエアーチューブ１６；１７；１８；１９；２０とバルブ２１；２２；２３；２４；２５と操作部２６と制御ボックス２７とを備える。エアーチューブ１６は、エアーポンプ１５の圧縮空気を排出する出口と主マットレス２におけるエアセル５の入口とを接続する。エアーチューブ１７は、エアーポンプ１５の圧縮空気を排出する出口と左膝用エアセル８の入口とを接続する。エアーチューブ１８は、エアーポンプ１５の圧縮空気を排出する出口と右膝用エアセル９の入口とを接続する。エアーチューブ１９は、エアーポンプ１５の圧縮空気を排出する出口と左肩用エアセル１０の入口とを接続する。エアーチューブ２０は、エアーポンプ１５の圧縮空気を排出する出口と右肩用エアセル１１の入口とを接続する。
【００１３】
バルブ２１は、エアーチューブ１６に設置される。バルブ２２は、エアーチューブ１７に設置される。バルブ２３は、エアーチューブ１８に設置される。バルブ２４は、エアーチューブ１９に設置される。バルブ２５は、エアーチューブ２０に設置される。尚、図１において、エアーポンプ１５とバルブ２１乃至２５と制御ボックス２７と操作部２６とを結ぶ仮想線は、信号線である。制御ボックス２７には、第１給気制御手段２８Ａと第１排気制御手段２８Ｂと第２給気制御手段２９Ａと第２排気制御手段２９Ｂと第３給気制御手段３０Ａと第３排気制御手段３０Ｂとが設けられる。
【００１４】
第１給気制御手段２８Ａは、左膝用エアセル８と右膝用エアセル９とを膨らませた後に左肩用エアセル１０又は右肩用エアセル１１の一方を膨らませるようにエアーポンプ１５とバルブ２２乃至２５とを制御する手段である。第１排気制御手段２８Ｂは、膨らんでいる左肩用エアセル１０又は膨らんでいる右肩用エアセル１１の一方の空気を抜いた後に膨らんでいる左膝用エアセル８と膨らんでいる右膝用エアセル９の空気を抜くようにバルブ２２乃至２５を制御する手段である。第２給気制御手段２９Ａは、左膝用エアセル８を膨らませた後に右肩用エアセル１１を膨らませるか又は右膝用エアセル９を膨らませた後に左肩用エアセル１０を膨らませるようにエアーポンプ１５とバルブ２２乃至２５とを制御する手段である。第２排気制御手段２９Ｂは、膨らんでいる右肩用エアセル１１の空気を抜いた後に膨らんでいる左膝用エアセル８の空気を抜くか又は膨らんでいる左肩用エアセル１０の空気を抜いた後に膨らんでいる右膝用エアセル８の空気を抜くようにバルブ２２乃至２５を制御する手段である。第３給気制御手段３０Ａは、左膝用エアセル８と右膝用エアセル９とを膨らませた後に左肩用エアセル１０と右肩用エアセル１１とを膨らませるようにエアーポンプ１５とバルブ２２乃至２５とを制御する手段である。第３排気制御手段３０Ｂは、膨らんでいる左肩用エアセル１０と右肩用エアセル１１との空気を抜いた後に膨らんでいる左膝用エアセル８と右膝用エアセル９との空気を抜くようにバルブ２２乃至２５を制御する手段である。第１給気制御手段２８Ａ及び第２給気制御手段２９Ａは、設定空気圧力又は設定空気流量を変更することにより、体位変換角度を切り替えることが可能となっている。
【００１５】
給気排気機構４において、介護者が操作部２６を操作すると、操作部２６が介護者の操作に対応する操作信号を制御ボックス２７に出力し、制御ボックス２７が操作信号に基づきエアーポンプ１５とバルブ２１乃至２５とを制御することにより、圧縮空気がエアーポンプ１５からエアーチューブ１６乃至２０を経由して主マットレス２又は体位変換エアセル３に給気されたり、又は、圧縮空気が主マットレス２又は体位変換エアセル３からバルブ２１乃至２５を経由して排気されたりする。
【００１６】
体位変換用マットレス１の使用されるベッド３１としては、複数個の脚３２で床に支持されたフレーム３３に図外の背上げ下げ機能を有する介護用ベッドを例示する。ベッド３１のヘッドボード３４には、制御ボックス２７が装着される。フレーム３３の上には、左膝用エアセル８と右膝用エアセル９と左肩用エアセル１０と右肩用エアセル１１とをカバー１２で被覆した造形の体位変換エアセル３が置かれる。体位変換エアセル３の上には、ウレタンマットレス３５が置かれる。ウレタンマットレス３５には、収容部３６がウレタンマットレス３５の上面から内部への窪みとして形成される。収容部３６には、主マットレス２が収容される。つまり、ベッド３１のフレーム３３の上には体位変換エアセル３が置かれ、体位変換エアセル３の上にはウレタンマットレス３５が置かれ、ウレタンマットレス３５の上には主マットレス２が置かれる。尚、主マットレス２としてウレタンマットレスを用いた場合にはウレタンマットレス３５を省いてもよい。
【００１７】
例えば、ベッド３１の上に体位変換エアセル３が置かれ、体位変換エアセル３の上にウレタンマットレス３５が置かれ、ウレタンマットレス３５の上に主マットレス２が置かれた状態において、介護者が操作部２６の主給気スイッチを操作すると、制御ボックス２７がエアーポンプ１５を駆動すると共にバルブ２１を開動作し、主マットレス２における全部のエアセル５がエアーポンプ１５から主マットレス２に給気された圧縮空気により膨張する。そして、主マットレス２の圧力又は流量を検出する図外の圧力センサー又は流量センサーにより検出された圧力又は流量が制御ボックス２７に設定された所定圧力又は所定流量になるように、制御ボックス２７がバルブ２１を制御して主マットレス２を所定圧力又は所定流量に維持する。
【００１８】
又、圧縮空気で膨張された主マットレス２の上に患者が仰臥位で寝かされた状態において、例えば仰臥位の患者の左が上で右が下になるように、介護者が仰臥位の患者を左に傾けた左側臥位となるように体位変換する場合には、介護者が操作部２６の左体位変換スイッチを操作する。介護者が患者を右側臥位に体位変換する場合に操作するスイッチが右体位変換スイッチであってもよい。これにより、制御ボックス２７の第１給気制御手段２８Ａがエアーポンプ１５を駆動すると共にバルブ２２乃至２４を開動作し、左膝用エアセル８と右膝用エアセル９と左肩用エアセル１０とがエアーポンプ１５から給気された圧縮空気により膨張する。そして、左膝用エアセル８と右膝用エアセル９と左肩用エアセル１０との圧力又は流量を検出する図外の圧力センサー又は流量センサーにより検出された圧力又は流量が制御ボックス２７に設定された所定圧力又は所定流量になるように、制御ボックス２７がバルブ２２乃至２４を制御して左膝用エアセル８と右膝用エアセル９と左肩用エアセル１０とを所定圧力又は所定流量に維持する。これにより、上記左膝用エアセル8と右膝用エアセル9と左肩用エアセル１０との膨張された態様が維持される。
【００１９】
上記のように主マットレス２が圧縮空気で膨張されて患者のベッド３１への底づきを解消し、左膝用エアセル８と右膝用エアセル９と左肩用エアセル１０とが圧縮空気で膨張されて患者の膝及び左肩が持ち上げていることから、患者の体が回転しやすくなり、主マットレス２より患者の腰を浮かさずに、患者の背部と膝部とを持ち上げるように体位変換することができ、患者の床ずれの発生しやすい仙骨部を保護することができる。
【００２０】
又、圧縮空気で膨張された主マットレス２の上に患者が仰臥位で寝かされた状態において、例えば仰臥位の患者の右が上で左が下になるように、介護者が仰臥位の患者を右に傾けた右側臥位となるように体位変換する場合には、介護者が操作部２６の右体位変換スイッチを操作する。介護者が患者を左側臥位に体位変換する場合に操作するスイッチが左体位変換スイッチであってもよい。これにより、制御ボックス２７の第１給気制御手段２８Ａがエアーポンプ１５を駆動すると共にバルブ２２；２３；２５を開動作し、左膝用エアセル８と右膝用エアセル９と右肩用エアセル１１とがエアーポンプ１５から給気された圧縮空気により膨張する。そして、左膝用エアセル８と右膝用エアセル９と右肩用エアセル１１との圧力又は流量を検出する図外の圧力センサー又は流量センサーにより検出された圧力又は流量が制御ボックス２７に設定された所定圧力又は所定流量になるように、制御ボックス２７がバルブ２２；２３；２５を制御して左膝用エアセル８と右膝用エアセル９と右肩用エアセル１１とを所定圧力又は所定流量に維持する。これにより、上記左膝用エアセル８と右膝用エアセル９と右肩用エアセル１１の膨張された態様が維持される。
【００２１】
上記のように主マットレス２が圧縮空気で膨張されて患者のベッド３１への底づきを解消し、左膝用エアセル８と右膝用エアセル９と右肩用エアセル１１とが圧縮空気で膨張されて患者の膝及び右肩が持ち上げていることから、患者の体が回転しやすくなり、膨張した主マットレス２より患者の腰を浮かさずに、患者の背部と膝部とを持ち上げるように体位変換することができ、患者の床ずれの発生しやすい仙骨部を保護することができる。
【００２２】
段落００１７乃至段落００２０のように患者の体位変換が終了した場合には、介護者が操作部２６の停止スイッチを操作すると、制御ボックス２７がバルブ２４又はバルブ２５を排気動作し、左肩用エアセル１０又は右肩用エアセル１１の圧縮空気がバルブ２４又はバルブ２５から排気された後、バルブ２２；２３を排気動作し、左膝用エアセル８と右膝用エアセル９との圧縮空気とがバルブ２２；２３から排気され、体位変換エアセル３が収縮する。
【００２３】
又、圧縮空気で膨張された主マットレス２の上に患者が仰臥位で寝かされた状態において、介護者が仰臥位の患者に腰ひねりストレッチ効果を与える場合には、介護者が操作部２６のストレッチスイッチを操作する。これにより、制御ボックス２７の第２給気制御手段２９Ａがエアーポンプ１５を駆動すると共にバルブ２２又はバルブ２３を開動作し、エアーポンプ１５から給気された圧縮空気により、左膝用エアセル８又は右膝用エアセル９が膨張する。そして、左膝用エアセル８又は右膝用エアセル９の圧力又は流量を検出する図外の圧力センサー又は流量センサーにより検出された圧力又は流量が制御ボックス２７に設定された所定圧力又は所定流量になるように、制御ボックス２７がバルブ２２又はバルブ２３を制御して左膝用エアセル８又は右膝用エアセル９を所定圧力又は所定流量に維持する。次に、制御ボックス２７がバルブ２４又はバルブ２５を開動作し、エアーポンプ１５から給気された圧縮空気により、左肩用エアセル１０又は右肩用エアセル１１が膨張する。そして、左肩用エアセル１０又は右肩用エアセル１１の圧力又は流量を検出する図外の圧力センサー又は流量センサーにより検出された圧力又は流量が制御ボックス２７に設定された所定圧力又は所定流量になるように、制御ボックス２７がバルブ２４又はバルブ２５を制御して左肩用エアセル１０又は右肩用エアセル１１を所定圧力又は所定流量に維持する。これにより、上記左膝用エアセル８と右肩用エアセル１１との膨張された態様又は上記右膝用エアセル９と左肩用エアセル１０との膨張された態様が維持される。
【００２４】
上記のように左膝用エアセル８と右肩用エアセル１１との膨張された態様又は上記右膝用エアセル９と左肩用エアセル１０との膨張された態様が維持された状態の後、第２排気制御手段２９Ｂがバルブ２５を排気動作して右肩用エアセル１１の圧縮空気を抜いた後にバルブ２２を排気動作して左膝用エアセル８の圧縮空気を抜くか又はバルブ２４を排気動作して左肩用エアセルの圧縮空気を抜いた後にバルブ２３を排気動作して右膝用エアセルの圧縮空気を抜く。上記段落００２３と段落２４との記載により、仰臥位の患者に腰ひねりストレッチ効果を与えることができる。
【００２５】
又、圧縮空気で膨張された主マットレス２の上に患者が仰臥位で寝かされた状態において、介護者が仰臥位の患者をセミファウラー位（患者が頭部と上半身を１５度〜３０度起こした姿勢）にする場合には、介護者が操作部２６のセミファウラー位スイッチを操作する。これにより、制御ボックス２７の第３給気制御手段３０Ａがエアーポンプ１５を駆動すると共にバルブ２２；２３を開動作し、エアーポンプ１５から給気された圧縮空気により、左膝用エアセル８と右膝用エアセル９とが膨張する。そして、左膝用エアセル８と右膝用エアセル９との圧力又は流量を検出する図外の圧力センサー又は流量センサーにより検出された圧力又は流量が制御ボックス２７に設定された所定圧力又は所定流量になるように、制御ボックス２７がバルブ２２；２３を制御して左膝用エアセル８と右膝用エアセル９を所定圧力又は所定流量に維持する。次に、制御ボックス２７がバルブ２４；２５を開動作し、エアーポンプ１５から給気された圧縮空気により、左肩用エアセル１０と右肩用エアセル１１とが膨張する。そして、左肩用エアセル１０と右肩用エアセル１１との圧力又は流量を検出する図外の圧力センサー又は流量センサーにより検出された圧力又は流量が制御ボックス２７に設定された所定圧力又は所定流量になるように、制御ボックス２７がバルブ２４；２５を制御して左肩用エアセル１０と右肩用エアセル１１を所定圧力又は所定流量に維持する。これにより、上記左膝用エアセル８と右膝用エアセル９と左肩用エアセル１０と右肩用エアセル１１との膨張された態様が維持され、患者がセミファウラー位の状態になる。つまり、患者を仰臥位からセミファウラー位にする場合は、患者の両膝を上げてから両肩を上げるようにする。
【００２６】
上記のように患者がセミファウラー位になった後、介護者が患者を仰臥位にする場合は、介護者がセミファウラー位停止スイッチを操作する。これにより、制御ボックス２７の第３排気制御手段３０Ｂがバルブ２４；２５を排気動作して左肩用エアセル１０と右肩用エアセル１１の圧縮空気を抜いた後にバルブ２２；２３を排気動作して左膝用エアセル８と右膝用エアセル９との圧縮空気を抜いく。これにより、上記左膝用エアセル８と右膝用エアセル９と左肩用エアセル１０と右肩用エアセル１１が収縮して患者がセミファウラー位から仰臥位になる。つまり、患者をセミファウラー位から仰臥位にする場合は、患者の両肩を下げから両膝を下げるようにする。
【００２７】
尚、体位変換については、図１の制御ボックス２７に両側体位変換モードと片側体位変換モード及び膝上げだけの体位変換モードを設定してもよい。両側体位変換モードは、仰臥位から右側臥位又は左側臥位に変換した後、右側臥位又は左側臥位から仰臥位に変換し、この仰臥位から左側臥位又は右側臥位に変換し、更に、左側臥位又は右側臥位から仰臥位に変換するモードである。片側体位変換モードは、仰臥位から右側臥位又は左側臥位に変換した後、右側臥位又は左側臥位から仰臥位に変換仰臥位に変換するモードである。膝上げだけの体位変換モードは、仰臥位において、膝上げと膝下げとを行なうモードである。これらの両側体位変換モードと片側体位変換モード及び膝上げだけの体位変換モードは、介護者が図１の操作部２６におけるそれぞれに対応するスイッチを操作することにより、制御ボックス２７がバルブ２２乃至２５を制御することにより、左膝用エアセル８と右膝用エアセル９と左肩用エアセル１０と右肩用エアセル１１が膨張と収縮とを行なうことにより実行される。又、上記両側体位変換モードと片側体位変換モード及び膝上げだけの体位変換モードは、介護者が操作部２６におけるそれぞれに対応するスイッチを１回操作することにより、制御ボックス２７による制御が周期的に繰り返すようにしてもよい。
【００２８】
図３を参照し、実施の形態１に係る主マットレス２と左膝用エアセル８と右膝用エアセル９と左肩用エアセル１０と右肩用エアセル１１とウレタンマットレス３５とをカバー１２で覆う場合について説明する。図３では、カバー１２が展開された状態である。この展開されたカバー１２は、カバー１２の一半部３９と他半部４０とが仮想線で示す折り曲げ線４１より２つに折り畳まれるようになっている。一半部３９にはフック等の支持部４２；４３が複数個設けられる。支持部４２には、左膝用エアセル８と右膝用エアセル９とからなる膝用エアセル６が引っ掛けられ、支持部４３には左肩用エアセル１０と右肩用エアセル１１とからなる肩用エアセル７が引っ掛けられることで、膝用エアセル６と肩用エアセル７とがそれらの間に患者の尻及び腰を取り込み得るように離れた造形となるように、膝用エアセル６と肩用エアセル７とがカバー１２の一半部３９に固定される。
【００２９】
このように膝用エアセル６と肩用エアセル７とがカバー１２の一半部３９に固定された後、ウレタンマットレス３５が膝用エアセル６と肩用エアセル７との上に置かれ、主マットレス２がウレタンマットレス３５の収容部３６に収容される。つまり、主マットレス２とウレタンマットレス３５とが上記一半部３９に固定された膝用エアセル６と肩用エアセル７との上に置かれる。そして、上記展開されたカバー１２の他半部４０が折り曲げ線４１より主マットレス２と膝用エアセル６と肩用エアセル７とウレタンマットレス３５とを覆うように一半部３９の側に折り曲げられ、更に、カバー１２の周縁部に設けられた図外のファスナーが閉じられることにより、カバー１２が一半部３９と他半部４０とからなる方形な袋状となる。その袋状となったカバー１２は、その中に主マットレス２と膝用エアセル６と肩用エアセル７とウレタンマットレス３５を収容した態様となる。
【００３０】
つまり、実施の形態１では、主マットレス２と膝用エアセル６と肩用エアセル７とウレタンマットレス３５とがカバー１２に被覆されて固定されているので、主マットレス２と膝用エアセル６と肩用エアセル７とウレタンマットレス３５との設置が容易である。主マットレス２と左膝用エアセル８と右膝用エアセル９と左肩用エアセル１０と右肩用エアセル１１とのそれぞれから延びるエアーチューブ１６乃至２０は、袋状となったカバー１２の中からカバー１２の外に出る。尚、主マットレス２とウレタンマットレス３５とを除き、膝用エアセル６と肩用エアセル７とをカバー１２で被覆すると共にカバー１２に固定することも考えられ、このように膝用エアセル６と肩用エアセル７とをカバー１２で被覆すると共にカバー１２に固定すれば、膝用エアセル６と肩用エアセル７との設置が容易である。
【００３１】
図４を参照し、実施の形態１に係る左肩用エアセル１０について説明する。図４のＡ図に示すように、左肩用エアセル１０は、平面視方形な主体部４６と主体部４６の右側下部から右側に突出した平面視方形な突出部４７とからなる１つのエアセル４８を備える。エアセル４８を囲むよう封じされた周縁部４９には、連結部５０と周縁接合部５１と被支持部５２とが設けられる。被支持部５２は、図３の支持部４３を結合する部分である。
【００３２】
図４のＡ図に戻り、主体部４６と突出部４７とには表裏接合部５３が複数個点在配置されており、圧縮空気が給気排気機構４（図１参照）から左肩用エアセル１０に給気された場合には、主体部４６と突出部４７との表裏接合部５３の設けられた部分が主体部４６の表裏接合部５３の設けられていない部分よりも表裏の側への突出量が少なくなるように構成されている。つまり、左肩用エアセル１０が給気された圧縮空気により膨張した場合には、複数個の表裏接合部５３により、左肩用エアセル１０は図４のＢ図に示すように左側から右側に下り勾配となる傾斜が実現される造形である。
【００３３】
図５を参照し、実施の形態１に係る右肩用エアセル１１について説明する。図５のＡ図に示すように、右肩用エアセル１１は、平面視方形な主体部５６と主体部５６の左側下部から左側に突出した平面視方形な突出部５７とからなる１つのエアセル５８を備える。エアセル５８を囲むよう封じされた周縁部５９には、連結部６０と周縁接合部６１と被支持部６２とが設けられる。被支持部６２は、図３の支持部４３を結合する部分である。
【００３４】
図５のＡ図に戻り、主体部５６と突出部５７とには表裏接合部６３が複数個点在配置されており、圧縮空気が給気排気機構４（図１参照）から右肩用エアセル１１に給気された場合には、主体部５６と突出部５７との表裏接合部６３の設けられた部分が主体部５６の表裏接合部６３の設けられていない部分よりも表裏の側への突出量が少なくなるように構成されている。つまり、右肩用エアセル１１が給気された圧縮空気により膨張した場合には、複数個の表裏接合部６３により、右肩用エアセル１１は図５のＢ図に示すように右側から左側に下り勾配となる傾斜が実現される造形である。
【００３５】
図６を参照し、実施の形態１に係る体位変換エアセル３の仰臥位の患者６５に対する配置関係について説明する。例えば、左肩用エアセル１０の突出部４７と右肩用エアセル１１の突出部５７とが上下に重なり合うように、つまり、左肩用エアセル１０の一部と右肩用エアセル１１の一部とが上下に重なり合うように、左肩用エアセル１０と右肩用エアセル１１とが互いに連結されている。具体的には、左肩用エアセル１０の突出部４７と右肩用エアセル１１の突出部５７とが上下に重なり合わされ、左肩用エアセル１０の連結部５０と右肩用エアセル１１の連結部６０とが互いに連結されることにより、左肩用エアセル１０と右肩用エアセル１１とが互いに連結された態様になる。
【００３６】
上記のように左肩用エアセル１０と右肩用エアセル１１とが互いに連結された態様で、左肩用エアセル１０が仰臥位の患者６５の左肩６６の下に配置され、右肩用エアセル１１が仰臥位の患者６５の右肩６７の下に配置された場合において、左肩用エアセル１０の突出部４７と右肩用エアセル１１の突出部５７とが重なり合わされたことにより、左肩用エアセル１０と右肩用エアセル１１とによる段差が解消され、左肩用エアセル１０と右肩用エアセル１１とが患者６５の背中に安定して接触して患者６５に体変換時の違和感を与えない。
【００３７】
そして、仰臥位の患者６５の左肩６６が左肩用エアセル１０に対して配置され、仰臥位の患者６５の右肩６７が右肩用エアセル１１に対して配置され、仰臥位の患者６５の左膝６８が左膝用エアセル８に対して配置され、仰臥位の患者６５の右膝６９が右膝用エアセル９に対して配置されることにより、仰臥位の患者６５の尻７０及び腰７１が膝用エアセル６と肩用エアセル７との間の空間７２に対して配置される。又、膝用エアセル６は、左膝用エアセル８と右膝用エアセル９とを囲むよう封じされた周縁部７３を備える。周縁部７３には、周縁接合部７４と被支持部７５とが設けられる。被支持部７５は、図３の支持部４２を結合する部分である。
【００３８】
上記のように膝用エアセル６が仰臥位の患者６５の左膝６８及び右膝６９の下に配置され、肩用エアセル７が仰臥位の患者６５の左肩６６及び右肩６７の下に配置された状態において、左膝用エアセル８と右膝用エアセル９と左肩用エアセル１０とが給気された圧縮空気により膨張されることにより患者６５の左膝６８と右膝６９と左肩６６と持ち上げられるか又は左膝用エアセル８と右膝用エアセル９と右肩用エアセル１１とが給気された圧縮空気により膨張されることにより患者６５の左膝６８と右膝６９と右肩６７とが持ち上げられるので、患者６５の体が回転しやすくなり、膨張した主マットレス２（図１参照）より患者の腰を浮かさずに、患者の背部と膝部とを持ち上げるように体位変換することができ、患者の床ずれの発生しやすい仙骨部を保護することができる。
【００３９】
又、図６に示すように膝用エアセル６が仰臥位の患者６５の左膝６８及び右膝６９の下に配置され、肩用エアセル７が仰臥位の患者６５の左肩６６及び右肩６７の下に配置された状態において、左膝用エアセル８と右肩用エアセル１１とが給気された圧縮空気により膨張されることにより患者６５の左膝６８と右肩６７とが持ち上げられるか又は右膝用エアセル９と左肩用エアセル１０とが給気された圧縮空気により膨張されることにより患者６５の右膝６９と左肩６６とが持ち上げられるので、患者６５の体をねじらせて、患者の委縮しやすい筋肉を伸ばすことができる。つまり、患者６５への腰ひねりストレッチ効果ができる。
【００４０】
図７及び図８を参照し、実施の形態２に係る体位変換用マットレス１について説明する。体位変換用マットレス１は、ベッド３１による背上げ又は背下げ動作において、患者６５の背中がベッドから持ち上げられたり持ち下げられたりした後、患者６５をベッド３１から浮かせてずれなくすことにより、床ずれを防止する構造になっている。
【００４１】
エアマットレス７８は、主マットレス２における複数個のエアセル５の直径よりも大きな直径を有する中空で膨張可能な複数個のエアセル７９が主マットレス２の短手方向に横長であると共に主マットレス２の長手方向に並列に配置された体圧保持性能の有る造形である。複数個のエアセル７９は、図外の給気排気機構から給気された圧縮空気により膨張された態様になっている。ベッド３１のフレーム３３の上には膝用エアセル６と肩用エアセル７とからなる体位変換エアセル３が置かれ、体位変換エアセル３の上にはエアマットレス７８が置かれ、エアマットレス７８の上には主マットレス２が置かれる。フレーム３３には背フレーム８０が設けられる。背フレーム８０は、図外の背上げ下げ機構により軸８１を回転中心として背上げ又は背下げ可能に動作する。図７は背フレーム８０が軸８１を回転中心として背上げされた態様を示し、図８は背フレーム８０が軸８１を回転中心として背下げされた態様を示す。
【００４２】
図９を参照し、実施の形態２に係る主マットレス２に対する給気排気機構８３について説明する。給気排気機構８３は、図１の給気排気機構４から主マットレス２に対する部分を抜粋した構造であり、エアーチューブ１６における主マットレス２とバルブ２１との間に流路切換機構８４と流路８５；８６；８７；８８とを備える。流路切換機構８４は４個の出口を有する。主マットレス２におけるエアセル５は、４個ずつを１つのグループとして複数個のグループに分けられている。各エアセル５を表す丸枠の中に表示された「１乃至４」は、各エアセル５が流路８５乃至８８に別々に接続されたことを表す数値である。つまり、通路８５は、流路切換機構８４の１つの出口と数値「１」の付されたエアセル５とを接続する。通路８６は、流路切換機構８４の別の１つの出口と数値「２」の付されたエアセル５とを接続する。通路８７は、流路切換機構８４の別のもう１つの出口と数値「３」の付されたエアセル５とを接続する。通路８８は、流路切換機構８４の別の更にもう１つの出口と数値「４」の付されたエアセル５とを接続する。１つのグループにおけるエアセル５の個数は、４個以外に、２個又は３個又は５個以上であってよいが、２個の場合は流路が２個、３個の場合は流路が３個、５個以上の場合は流路が５個以上というように、１つのグループにおけるエアセル５の個数と流路の個数とは同数である。グループの個数は４個以上であってよい。
【００４３】
例えば、介護者が操作部２６の動作スイッチを操作すると、操作部２６が人により操作された動作スイッチの信号を制御ボックス２７に入力し、制御ボックス２７がエアーポンプ１５を駆動すると共にバルブ２１を開動作しかつ流路切換機構８４を駆動する。具体的には、流路切換機構８４がエアーポンプ１５からバルブ２１を経由して給気された圧縮空気を通路８５に給気するように動作すると、数値「１」の付されたエアセル５が通路８５から給気された圧縮空気により膨張する。流路切換機構８４がエアーポンプ１５からバルブ２１を経由して給気された圧縮空気を通路８６に給気するように動作すると、数値「２」の付されたエアセル５が通路８６から給気された圧縮空気により膨張する。流路切換機構８４がエアーポンプ１５からバルブ２１を経由して給気された圧縮空気を通路８７に給気するように動作すると、数値「３」の付されたエアセル５が通路８７から給気された圧縮空気により膨張する。流路切換機構８４がエアーポンプ１５からバルブ２１を経由して給気された圧縮空気を通路８８に給気するように動作すると、数値「４」の付されたエアセル５が通路８８から給気された圧縮空気により膨張する。
【００４４】
又、流路切換機構８４が数値「１」の付されたエアセル５の圧縮空気を排気するように動作すると、数値「１」の付されたエアセル５が収縮する。流路切換機構８４が数値「２」の付されたエアセル５の圧縮空気を排気するように動作すると、数値「２」の付されたエアセル５が収縮する。流路切換機構８４が数値「３」の付されたエアセル５の圧縮空気を排気するように動作すると、数値「３」の付されたエアセル５が収縮する。流路切換機構８４が数値「４」の付されたエアセル５の圧縮空気を排気するように動作すると、数値「４」の付されたエアセル５が収縮する。つまり、数値「１」乃至「４」のエアセル５のそれぞれは、圧縮空気の給気で別々に膨張する一方、圧縮空気の排気で別々に収縮する。
【００４５】
主マットレス２は、制御ボックス２７に設定された動作モードに基づき膨張又は圧縮を行うようになっている。制御ボックス２７に設定された動作モードとしては、全体膨張モードと全体収縮モードと部分膨張モードと部分収縮モードと部分収縮膨張モード等である。全体膨張モードは、数値「１」乃至「４」のエアセル５の全部が圧縮空気の給気で膨張するように、制御ボックス２７が流路切換機構８４を制御する。全体収縮モードは、数値「１」乃至「４」のエアセル５の全部が圧縮空気の排気で収縮するように、制御ボックス２７が流路切換機構８４を制御する。部分膨張モードは、数値「１」乃至「４」のエアセル５のうちの少なくとも１つが圧縮空気の給気で膨張するように、制御ボックス２７が流路切換機構８４を制御する。部分収縮モードは、数値「１」乃至「４」のエアセル５のうちの少なくとも１つが圧縮空気の排気で収縮するように、制御ボックス２７が流路切換機構８４を制御する。部分膨張モードと部分収縮モードとが、同じ１つのエアセル５で同時に発生しないように、制御ボックス２７が流路切換機構８４を制御する。部分収縮膨張モードは、各グループにおける１つ置きに並んだエアセル５が圧縮空気の排気で収縮した後に圧縮空気の給気で膨張するように、制御ボックス２７が流路切換機構８４を制御する。
【００４６】
図１１を参照し、実施の形態２に係る主マットレス２への日本人の平均身長と平均体重とを有する平均的な体形の患者６５の配置について説明する。エアセル５が患者６５の足１０１の側から頭１０２の側に行くに従ってグループ９１乃至９８の８個のグループに分かれており、グループ９１乃至９５では数値「１乃至４」の４個のエアセル５が患者６５の足１０１の側から頭１０２の側に「１」「２」「３」「４」の順序に配置され、グループ９６；９７では数値「１乃至４」の４個のエアセル５が患者６５の足１０１の側から頭１０２の側に「１」「４」「３」「２」の順序に配置され、グループ９８では数値「１及び４」の２個のエアセル５が患者６５の足１０１の側から頭１０２の側に「１」「４」の順序に配置され、グループ９５乃至９８が背可動フレーム３０（図７参照）により背上げされ、患者６５の膝１０３が図外の膝可動フレーム又は図外の圧縮空気で膨張した膝用エアセルにより持ち上げられ、患者６５の尻７０がグループ９４の上に配置され、患者６５の肩１０４がグループ９６の上に配置された場合を例示する。尚、グループの個数は８個に限定されるものではない。又、エアセル５の配置からすると、グループの種類はグループ９１乃至９５の１種類と、グループ９６乃至９８の１種類の合計２種類を例示したが、２種類に限定されるものではない。
【００４７】
図１０を参照し、実施の形態２に係る主マットレス２の動作について説明する。主マットレス２の動作は、全部のエアセル５が圧縮空気の給気で膨張した状態において、ベッドによる背上げ又は背下げ後に、介護者が図９の操作部２６の動作スイッチを操作することにより、エアセル５が図１０に示す第１乃至第４工程からなる圧抜きモードに従って動作する。つまり、制御ボックス２７に設定された動作モードが人の操作で開始されるので、介護者による介護が行き届きやすい。第１乃至第４工程は、図９の制御ボックス２７に設定された部分収縮モードと部分膨張モードと第１部分収縮膨張モードと第２部分収縮膨張モードとにより実行される。第１部分収縮膨張モードと第２部分収縮膨張モードとは、各グループにおける１つ置きに並んだエアセル５が圧縮空気の排気で収縮した後に圧縮空気の給気で膨張する部分収縮膨張モードである。
【００４８】
図１０において、第１工程は、全部のエアセル５が膨張した状態から、数値「１」乃至「４」のエアセル５が１つずつ数値「１」から「４」の順番に圧縮空気の排気で収縮する部分収縮モードであり、時間は３分に設定されている。第２工程は、全部のエアセル５が収縮した状態から、数値「１」乃至「４」のエアセル５が１つずつ数値「１」から「４」の順番に圧縮空気の給気で膨張する部分膨張モードであり、時間は４分に設定されている。第３工程は、全部のエアセル５が膨張した状態から、数値「１」「３」のエアセル５が同時に圧縮空気の排気で収縮した後、数値「１」「３」のエアセル５が１つずつ数値「１」「３」の順番に圧縮空気の給気で膨張する第１部分収縮膨張モードであり、時間は１分に設定されている。第４工程は、全部のエアセル５が膨張した状態から、数値「２」「４」のエアセル５が同時に圧縮空気の排気で収縮した後、数値「２」「４」のエアセル５が１つずつ数値「２」「４」の順番に圧縮空気の給気で膨張する第２部分収縮膨張モードであり、時間は１分に設定されている。尚、第１乃至第４工程以外に、新たなる部分収縮モード、部分膨張モード、部分収縮膨張モードによる工程の追加又は全体膨張モードによる工程、全体収縮モードによる工程を入れてもよい。
【００４９】
図１２乃至図１３を参照し、実施の形態２に係る主マットレス２の動作について考察する。図１２乃至図１３では、圧縮空気の給気で膨張したエアセル５は網がけに表示し、圧縮空気の排気で収縮したエアセル５はしぼんだ状態になるが白抜きで膨らんだ状態に表示した。第１工程では、図１２に示すように、数値「１」「２」「３」のエアセル５が１つずつ圧縮空気の排気で収縮したとき、数値「４」のエアセルが膨張して残っていることから、背上げされた患者６５の頭１０２と肩１０４とが首を中心として徐々に仰け反るような姿勢になり、患者６５の首周りの血行が良くなる一方、背上げされた患者６５の背中と腰と尻と大腿と脹脛及び足首が多点で支えられる。第２工程では、図１３に示すように、数値「１」のエアセル５が圧縮空気の給気で膨張することにより、背上げされた患者６５の体全体が膨張した８個のエアセル５で一様に支えられる。
【００５０】
そして、第３工程では、図１４に示すように、数値「１」「３」のエアセル５が同時に圧縮空気の排気で収縮することにより、背上げされた患者６５の体全体を数値「２」「４」の膨張したエアセル５で支えつつ少し沈み込ませる。その後、数値「１」「３」のエアセル５が１つずつ数値「１」「３」の順序で圧縮空気の給気で膨張することにより、膨張した全部のエアセル５が背上げされた患者６５の体全体を曲げないよう持ち上げる。又、第４工程では、数値「２」「４」のエアセル５が同時に圧縮空気の排気で収縮した後、数値「２」「４」のエアセル５が１つずつ数値「２」「４」の順序で圧縮空気の給気で膨張する。このように第３工程及び第４工程では、背上げされた患者６５の体全体を少し沈み込ませた後、背上げされた患者６５の体全体を曲げないよう持ち上げることにより、背上げされた患者６５の体全体が上下して血行が良くなる。これより、ベッドの背上げ背下げ機構による背上げ又は背下げに並行するか又は背上げ又は背下げ後に、患者６５を主マットレス２から浮かせてずれをなくし、患者６５の痛みや床ずれを防止できると同時に介護者の負担もなくなる。
【００５１】
図１５乃至図１９を参照し、実施の形態３に係る主マットレス２について説明する。先ず、図１６を参照し、実施の形態３に係る主マットレス２への日本人の平均的な体形の患者６５の配置について説明する。エアセル５が６個ずつを１つのグループとして複数個のグループに分けられた場合で、患者６５の足１０１の側から頭１０２の側に行くに従ってグループ１１１乃至１１５の５個のグループに分かれており、グループ１１１乃至１１５では数値「１」乃至「６」の６個のエアセル５が患者６５の足１０１の側から頭１０２の側に「１」乃至「６」の順序に配置された場合を例示する。
【００５２】
尚、図示は省略するが、図９の給気排気機構８３に相当する給気排気機構を備え、各グループにおける数値「１」乃至「４」のエアセル５は図９の流路８５乃至流路８８に相当する流路で図９の流路切換機構８４に相当する流路切換機構に別々に接続され、各グループにおける数値「５」「６」のエアセル５は２個の流路で図９の流路切換機構８４に相当する流路切換機構に別々に接続される。この実施の形態２に係る流路切換機構は６個の流路を別々に接続する６個の出口を備える。
【００５３】
図１５を参照し、実施の形態３に係る主マットレス２の動作について説明する。主マットレス２の動作は、全部のエアセル５が圧縮空気の給気で膨張した状態において、ベッドによる背上げ又は背下げ後に、介護者が図９の操作部２２の動作スイッチを操作することにより、エアセル５が図１５に示す第１乃至第４工程からなる圧抜きモードに従って動作する。つまり、制御ボックス２７に設定された動作モードが人の操作で開始されるので、介護者による介護が行き届きやすい。第１乃至第４工程は、図９の制御ボックス２７に設定された部分収縮モードと部分膨張モードと第１部分収縮膨張モードと第２部分収縮膨張モードとにより実行される。第１部分収縮膨張モードと第２部分収縮膨張モードとは、各グループにおける１つ置きに並んだエアセル５が圧縮空気の排気で収縮した後に圧縮空気の給気で膨張する部分収縮膨張モードである。
【００５４】
図１５において、第１工程は、全部のエアセル５が膨張した状態から、数値「１」乃至「６」のエアセル５が１つずつ数値「１」から「６」の順番に圧縮空気の排気で収縮する部分収縮モードであり、時間は５分に設定されている。第２工程は、全部のエアセル５が収縮した状態から、数値「１」乃至「６」のエアセル５が１つずつ数値「１」から「６」の順番に圧縮空気の給気で膨張する部分膨張モードであり、時間は６分に設定されている。第３工程は、全部のエアセル５が膨張した状態から、数値「１」「３」「５」のエアセル５が同時に圧縮空気の排気で収縮した後、数値「１」「３」「５」のエアセル５が１つずつ数値「１」から「５」の順番に圧縮空気の給気で膨張する第１部分収縮膨張モードであり、時間は１．５分に設定されている。第４工程は、全部のエアセル５が膨張した状態から、数値「２」「４」「６」のエアセル５が同時に圧縮空気の排気で収縮した後、数値「２」「４」「６」のエアセル５が１つずつ数値「２」から「６」の順番に圧縮空気の給気で膨張する第２部分収縮膨張モードであり、時間は１．５分に設定されている。尚、第１乃至第４工程以外に、新たなる部分収縮モード、部分膨張モード、部分収縮膨張モードによる工程の追加又は全体膨張モードによる工程、全体収縮モードによる工程を入れてもよい。
【００５５】
図１７乃至図１９を参照し、実施の形態３に係る主マットレス２の動作について考察する。図１７乃至図１９では、圧縮空気の給気で膨張したエアセル５は網がけに表示し、圧縮空気の排気で収縮したエアセル５はしぼんだ状態になるが白抜きで膨らんだ状態に表示した。第１工程では、図１７に示すように、数値「１」乃至「４」のエアセル５が１つずつ圧縮空気の排気で収縮したとき、数値「５」６」のエアセルが膨張して残っていることから、背上げされた患者６５の頭１０２と肩１０４と腰と尻７０と大腿と脹脛及び足首が多点で一様に支えられる。第２工程では、図１８に示すように、数値「１」のエアセル５が圧縮空気の給気で膨張することにより、背上げされた患者６５の頭１０２と肩１０７とが首を中心として徐々に仰け反るような姿勢になり、患者６５の首周りの血行が良くなる一方、背上げされた患者６５の腰と大腿及び脹脛が３個のエアセル５で一様に支えられる。これより、ベッドの背上げ背下げ機構による背上げ又は背下げ後に、患者６５の痛みや床ずれを防止できると同時に介護者の負担もなくせる。
【００５６】
そして、第３工程では、図１９に示すように、数値「１」「３」「５」のエアセル５が同時に圧縮空気の排気で収縮することにより、背上げされた患者６５の体全体を数値「２」「４」「６」の膨張したエアセル５で支えつつ少し沈み込ませる。その後、数値「１」「３」「５」のエアセル５が１つずつ数値「１」「３」「５」の順序で圧縮空気の給気で膨張することにより、膨張した全部のエアセル５が背上げされた患者６５の体全体を曲げないよう持ち上げる。又、第４工程では、数値「２」「４」「６」のエアセル５が同時に圧縮空気の排気で収縮した後、数値「２」「４」「６」のエアセル５が１つずつ数値「２」「４」「６」の順序で圧縮空気の給気で膨張する。このように第３工程及び第４工程では、背上げされた患者６５の体全体を少し沈み込ませた後、背上げされた患者６５の体全体を曲げないよう持ち上げることにより、背上げされた患者６５の体全体が上下して血行が良くなる。これより、ベッドの背上げ背下げ機構による背上げ又は背下げに並行するか又は背上げ又は背下げ後に、患者６５を体位変換用マットレス１から浮かせてずれをなくし、患者６５の痛みや床ずれを防止できると同時に介護者の負担もなくなる。
【００５７】
図２０乃至図２４を参照し、実施の形態４に係る主マットレス２について説明する。先ず、図２１を参照し、実施の形態４に係る主マットレス２の日本人の平均的な体形の患者６５への配置について説明する。エアセル５が８個ずつを１つのグループとして複数個のグループに分けられた場合で、患者６５の足１０１の側から頭１０２の側に行くに従ってグループ１１６乃至１１９の４個のグループに分かれており、グループ１１６乃至１１９では数値「１」乃至「８」の８個のエアセル５が患者６５の足１０１の側から頭１０２の側に「１」乃至「８」の順序に配置された場合を例示する。
【００５８】
尚、図示は省略するが、図９の給気排気機構８３に相当する給気排気機構を備え、各グループにおける数値「１」乃至「４」のエアセル５は図９の流路８５乃至流路８８に相当する流路で図９の流路切換機構８４に相当する流路切換機構に別々に接続され、各グループにおける数値「５」乃至「８」のエアセル５は４個の流路で図９の流路切換機構８４に相当する流路切換機構に別々に接続される。この実施の形態４に係る流路切換機構は８個の流路を別々に接続する８個の出口を備える。
【００５９】
図２０を参照し、実施の形態４に係る主マットレス２の動作について説明する。主マットレス２の動作は、全部のエアセル５が圧縮空気の給気で膨張した状態において、ベッドによる背上げ又は背下げ後に、介護者が図９の操作部２２の動作スイッチを操作することにより、エアセル５が図２０に示す第１乃至第４工程からなる圧抜きモードに従って動作する。つまり、制御ボックス２７に設定された動作モードが人の操作で開始されるので、介護者による介護が行き届きやすい。第１乃至第４工程は、図９の制御ボックス２７に設定された部分収縮モードと部分膨張モードと第１部分収縮膨張モードと第２部分収縮膨張モードとにより実行される。第１部分収縮膨張モードと第２部分収縮膨張モードとは、各グループにおける１つ置きに並んだエアセル５が圧縮空気の排気で収縮した後に圧縮空気の給気で膨張する部分収縮膨張モードである。
【００６０】
図２０において、第１工程は、全部のエアセル５が膨張した状態から、数値「１」乃至「８」のエアセル５が１つずつ数値「１」から「８」の順番に圧縮空気の排気で収縮する部分収縮モードであり、時間は２．５分に設定されている。第２工程は、全部のエアセル５が収縮した状態から、数値「１」乃至「８」のエアセル５が１つずつ数値「１」から「８」の順番に圧縮空気の給気で膨張する部分膨張モードであり、時間は３分に設定されている。第３工程は、全部のエアセル５が膨張した状態から、数値「１」「３」「５」「７」のエアセル５が同時に圧縮空気の排気で収縮した後、数値「１」「３」「５」「７」のエアセル５が１つずつ数値「１」から「７」の順番に圧縮空気の給気で膨張する第１部分収縮膨張モードであり、時間は２分に設定されている。第４工程は、全部のエアセル５が膨張した状態から、数値「２」「４」「６」「８」のエアセル５が同時に圧縮空気の排気で収縮した後、数値「２」「４」「６」「８」のエアセル５が１つずつ数値「２」から「８」の順番に圧縮空気の給気で膨張する第２部分収縮膨張モードであり、時間は２分に設定されている。尚、第１乃至第４工程以外に、新たなる部分収縮モード、部分膨張モード、部分収縮膨張モードによる工程の追加又は全体膨張モードによる工程、全体収縮モードによる工程を入れてもよい。
【００６１】
図２２乃至図２４を参照し、実施の形態４に係る主マットレス２の動作について考察する。図２２乃至図２４では、圧縮空気の給気で膨張したエアセル５は網がけに表示し、圧縮空気の排気で収縮したエアセル５はしぼんだ状態になるが白抜きで膨らんだ状態に表示した。第１工程では、図２２に示すように、数値「１」乃至「６」のエアセル５が１つずつ圧縮空気の排気で収縮したとき、数値「７」「８」のエアセルが膨張して残っていることから、背上げされた患者６５の頭と背中とが首を中心として徐々に仰け反るような姿勢になり、患者６５の首周りの血行が良くなる一方、背上げされた患者６５の尻及び脹脛が４個のエアセル５で一様に支えられる。第２工程では、図２３に示すように、数値「１」「２」のエアセル５が圧縮空気の給気で膨張することにより、背上げされた患者６５の頭と背中とが首を中心として徐々に仰け反るような姿勢になり、患者６５の首周りの血行が良くなる一方、背上げされた患者６５の腰及び膝が４個のエアセル５で一様に支えられる。
【００６２】
そして、第３工程では、図２４に示すように数値「１」「３」「５」「７」のエアセル５が同時に圧縮空気の排気で収縮することにより、背上げされた患者６５の体全体を数値「２」「４」「６」「８」の膨張したエアセル５で支えつつ少し沈み込ませる。その後、数値「１」「３」「５」「７」のエアセル５が１つずつ数値「１」から「７」の順序で圧縮空気の給気で膨張することにより、膨張した全部のエアセル５が背上げされた患者６５の体全体を曲げないよう持ち上げる。又、第４工程では、数値「２」「４」「６」「８」のエアセル５が同時に圧縮空気の排気で収縮した後、数値「２」「４」「６」「８」のエアセル５が１つずつ数値「２」から「８」の順序で圧縮空気の給気で膨張する。このように第３工程及び第４工程では、背上げされた患者６５の体全体を少し沈み込ませた後、背上げされた患者６５の体全体を曲げないよう持ち上げることにより、背上げされた患者６５の体全体が上下して血行が良くなる。これより、ベッドの背上げ背下げ機構による背上げ又は背下げに並行するか又は背上げ又は背下げ後に、患者６５を体位変換用マットレス１から浮かせてずれをなくし、患者６５の痛みや床ずれを防止できると同時に介護者の負担もなくなる。
【００６３】
第１実施の形態では、図１に示すウレタンマットレス３５に代替して図７に示すエアマットレス７８を使用してもよい。又、第２実施の形態では、図７に示すエアマットレス７８に代替して図１に示すウレタンマットレス３５を使用してもよい。
【００６４】
実施の形態２乃至実施の形態４において、エアセル２が収縮する場合、当該隣接する膨張したエアセル２の圧力又は流量を排気で調整して、上記収縮するエアセル２と隣接する膨張したエアセル２との段差を減少するようにしてもよい。又、平均的な体形よりも小柄又は大柄な患者に対しては、エアセル２に対する流路の接続を変更することで体に対するエアセル２の位置を変更してもよい。
【００６５】
尚、図示は省略したが、１つのグループを５個のエアセル２で構成し、各グループにおける１つ置きに並んだエアセル５が圧縮空気の排気で収縮した後に圧縮空気の給気で膨張するように、制御ボックス２７が流路切換機構８４を制御する場合において、第１部分収縮膨張モードでは数値「１」「３」「５」のエアセル５が同時に圧縮空気の排気で収縮した後に数値「１」「３」「５」のエアセル５が１つずつ数値「１」から「５」の順序で圧縮空気の給気で膨張するようにし、第２部分収縮膨張モードでは数値「２」「４」のエアセル５が同時に圧縮空気の排気で収縮した後に数値「２」「４」のエアセル５が１つずつ数値「１」から「５」の順序で圧縮空気の給気で膨張するようにすることも考えられる。
【００６６】
前記各実施の形態は、介護者が図９の操作部２６を操作することにより、制御ボックス２７が制御ボックス２７に設定された動作モードに基づきエアセル５に対する膨張と収縮とを制御する形態である。これに対し、介護者が図９の操作部２６を操作することなく、図７のベッド３１での背上げ背下げモードやリハビリモードに連動し、制御ボックス２７が制御ボックス２７に設定された動作モードに基づきエアセル５に対する膨張と収縮とを制御する形態も考えられる。背上げ背下げモードは、背可動フレーム３０を背上げ下げ機構により図２又は図３のように背上げ又は背下げするモードである。リハビリモードは、端座位をする場合やリハビリなどで一次的にエアマットレスに圧縮空気を給気してエアマットレスを硬くするモードである。
【００６７】
背上げ又は背下げモードに連動する場合は、介護者が図９の操作部２６の背上げ又は背下げモードを開始するスイッチを操作し、このスイッチから背上げ又は背下げモード開始に相当する信号が制御ボックス２７に入力されるのに伴い、制御ボックス２７が制御ボックス２７に設定された動作モードに基づきエアセル５に対する膨張と収縮とを制御する。又、リハビリモードに連動する場合は、介護者が図９の操作部２６のリハビリモードを解除するスイッチを操作し、このスイッチからリハビリモード解除に相当する信号が制御ボックス２７に入力されるのに伴い、制御ボックス２７に設定された動作モードに基づきエアセル５に対する膨張と収縮とを制御する。
【００６８】
例えば、制御ボックス２７に設定された動作モードとして図１０又は図１５又は図２０の第１乃至第４工程からなる圧抜きモードが制御ボックス２７に設定されている場合は、制御ボックス２７が背上げ背下げモード開始に相当する信号の入力又はリハビリモード解除に相当する信号の入力に基づき上記圧抜きモードを背上げ又は背下げモードの開始又はリハビリモードの解除に連動して行なう。
【００６９】
尚、圧抜きモードの開始に対する時間を制御ボックス２７に設定してもよい。圧抜きモードの開始に対する時間の制御ボックス２７への設定としては、例えば、圧抜きモードを背上げ又は背下げモードに並行して行なうか又は背上げ又は背下げモードの終了後に行なうか又はリハビリモード解除に並行して行なうかリハビリモード解除後に行なうかが考えられる。このように圧抜きモードを背上げ又は背下げモードの開始又はリハビリモードの解除に連動すれば、介護者による図９の操作部２６への操作が減り、介護者の負担が前記各実施の形態よりも軽くなる。
【符号の説明】
【００７０】
１は体位変換用マットレス、２は主マットレス、３は体位変換エアセル、４は給気排気機構、５はエアセル、６は膝用エアセル、７は肩用エアセル、８は左膝用エアセル、９は右膝用エアセル、１０は左肩用エアセル、１１は右肩用エアセル、１２はカバー、１３；１４は欠番、１５エアーポンプ、１６乃至２０はエアーチューブ、２１乃至２５はバルブ、２６は操作部、２７は制御ボックス、２８Ａは第１給気制御手段、２８Ｂは第１排気制御手段、２９Ａは第２給気制御手段、２９Ｂは第２排気制御手段、３０Ａは第３給気制御手段、３０Ｂは第３排気制御手段、３１はベッド、３２は脚、３３はフレーム、３４はヘッドボード、３５はウレタンマットレス、３６は収容部、３７；３８は欠番、３９は一半部、４０は他半部、４１は折り曲げ線、４２；４３は支持部、４４；４５は欠番、４６は主体部、４７は突出部、４８はエアセル、４９は周縁部、５０は連結部、５１は周縁接合部、５２は被支持部、５３は表裏接合部、５４；５５は欠番、５６は主体部、５７は突出部、５８はエアセル、５９は周縁部、６０は連結部、６１は周縁接合部、６２は被支持部、６３は表裏接合部、６４は欠番、６５は患者、６６は左肩、６７は右肩、６８は左膝、６９は右膝、７０は尻、７１は腰、７２は空間、７３は周縁部、７４は周縁接合部、７５は被支持部、７６；７７は欠番、７８はエアマットレス、７９はエアセル、８０は背フレーム、８１は軸、８２は欠番、８３は給気排気機構、８４は流路切換機構、８５乃至８８は第１乃至通路、８９；９０は欠番、９１乃至９８は第１乃至第8グループ、９９；１００は欠番、１００は欠番、１０１は足、１０２は頭、１０３は膝、１０４は肩、１０６乃至１１０は欠番、１１１乃至１１９グループ、１２０は欠番、１２１は体位変換用マットレス、１２２は主マットレス、１２３は体位変換エアセル、１２４は給気排気機構、１２５はエアセル、１２６はエアーポンプ、１２７はエアーチューブ、１２８は通路切換機構、１２９；１３０はエアーチューブ、１３１は左エアセル、１３２は右エアセル、１３３は左背用エアセル、１３４は左尻用エアセル、１３５はエアーチューブ、１２６は右背用エアセル、１２７は右尻用エアセル、１２８はエアーチューブ、１３９；１４０は紐、１４１は静止型マット。
【図１】
2014046042.tif 000003
【図２】
2014046042.tif 000004
【図３】
2014046042.tif 000005
【図４】
2014046042.tif 000006
【図５】
2014046042.tif 000007
【図６】
2014046042.tif 000008
【図７】
2014046042.tif 000009
【図８】
2014046042.tif 000010
【図９】
2014046042.tif 000011
【図１０】
2014046042.tif 000012
【図１１】
2014046042.tif 000013
【図１２】
2014046042.tif 000014
【図１３】
2014046042.tif 000015
【図１４】
2014046042.tif 000016
【図１５】
2014046042.tif 000017
【図１６】
2014046042.tif 000018
【図１７】
2014046042.tif 000019
【図１８】
2014046042.tif 000020
【図１９】
2014046042.tif 000021
【図２０】
2014046042.tif 000022
【図２１】
2014046042.tif 000023
【図２２】
2014046042.tif 000024
【図２３】
2014046042.tif 000025
【図２４】
2014046042.tif 000026
【図２５】
2014046042.tif 000027
【図２６】
2014046042.tif 000028
【図２７】
2014046042.tif 000029
【図２８】
2014046042.tif 000030